(57)【特許請求の範囲】
【請求項１】
複数の基材が重ね合わされ、後に所定の基材が剥離される再剥離性重ね合わせシートであって、
表面が印字面又は筆記面である上基材と、
下基材と、
前記下基材上に形成される貼着材層と、
前記上基材の裏面に形成される紫外線硬化型の収縮層と、
前記収縮層の面上の全面に形成されて前記貼着材層と接着される剥離剤層と、
を有することを特徴とする再剥離性重ね合わせシート。
【請求項２】
請求項１記載の再剥離性重ね合わせシートであって、前記貼着材層が水性エマルジョン接着剤であることを特徴とする再剥離性重ね合わせシート。
【発明の詳細な説明】
【技術分野】
【０００１】
本発明は、複数の基材を重ね合わせて、後に所定の重ね合わせ面を剥離させる再剥離性重ね合わせシートに関する。
【背景技術】
【０００２】
近年、例えば、配送品を届け先に配送するにあたって、配送品に配送伝票を貼付することが一般的となっており、配送伝票は少なくとも配達票と貼付票とで構成され、配達後に配達票を持ち帰られるように、当該配達票は再剥離性接着剤により通常は接着状態で容易に分離できる構造とされる。このような配送伝票や、葉書等の後に剥離させる構造のシートは、剥離させた配達票や剥離対象基材がカールせずに取り扱い性を向上させることが望まれている。
【０００３】
従来、再剥離性重ね合わせシートとして、以下の特許文献で提案されているものがある。特許文献１は、ラベルに関するもので、中間ラベル基材上に、メジウム又は紫外線硬化型ニスの目止め層が形成され、当該目止め層上に紫外線硬化型の擬似接着剤層が形成されて表面ラベル基材が設けられた構造のものである。この場合、表面ラベル基材が擬似接着層と共に中間ラベル及び目止め層より剥離されるものである。
【０００４】
また、特許文献２は、往復葉書に関するもので、２層目シート上に接着剤層が形成され、当該接着剤層上に剥離剤層が形成された１層目シートが設けられた構造のものである。この場合、１層目シートが剥離剤層と共に２層目シート及び接着剤層上より剥離されるものである。
【先行技術文献】
【特許文献】
【０００５】
【特許文献１】特開２００９−０４２５８４号公報
【特許文献２】特許第４３９１２７９号公報
【発明の概要】
【発明が解決しようとする課題】
【０００６】
上記特許文献１，２を含めて再剥離性重ね合わせシートは、剥離した基材がカールを生じて、その後の取り扱いに不便さを来すという問題がある。特に、上記特許文献の例でいえば、表面ラベル基材上の表面に形成された印刷面や１層目シート上に形成された印字面で印刷、印字された後に剥離させた場合にはカールの発生が顕著であり、また、当該表面ラベル基材や剥離対象側の１層目シートが薄くなるほどカールが顕著となる。
【０００７】
そこで、本発明は上記課題に鑑みなされたもので、剥離する基材の剥離時のカール発生を防止する再剥離性重ね合わせシートを提供することを目的とする。
【課題を解決するための手段】
【０００８】
上記課題を解決するために、請求項１の発明では、複数の基材が重ね合わされ、後に所定の基材が剥離される再剥離性重ね合わせシートであって、表面が印字面又は筆記面である上基材と、下基材と、前記下基材上に形成される貼着材層と、前記上基材の裏面に形成される紫外線硬化型の収縮層と、前記収縮層の面上の全面に形成されて前記貼着材層と接着される剥離剤層と、を有する構成とする。
【０００９】
請求項２の発明では、前記貼着材層が水性エマルジョン接着剤とする構成である。
【発明の効果】
【００１０】
請求項１の発明によれば、表面が印字面又は筆記面である上基材の裏面に、紫外線硬化型の収縮層と剥離剤層が順次形成され、下基材に形成された貼着材層と上記剥離剤層で接着させた構成とすることにより、上基材が収縮層及び剥離剤層と共に下基材の貼着材層より剥離され、その際に上基材表面の印字面又は筆記面側に生じるカール力が上基材裏面に直接形成された収縮層による印字面又は筆記面側の反対側に生じる収縮力により抑制されて当該上基材のカール発生を防止させることができるものである。また、上基材を剥離させた際に貼着材層側に剥離剤層が一部残存した場合であっても、上基材と剥離剤層との間に収縮層が存在することによって、当該収縮層による安定した収縮性を確保することができるものである。すなわち、カール防止することは、剥離した上基材に設けられたバーコード等の情報を機械的に読み取る際には正確に読み取ることができ、また、整理、保管等の取り扱いを向上させることとなるものである。
【００１１】
請求項２の発明によれば、貼着材層を水性エマルジョン接着剤とすることにより、当該貼着材層が硬化するまでの水分が上基材に浸透してカール発生を惹起することを収縮層、又は、収縮層及び剥離剤層で水分の浸透を防止することができ、収縮層によるカール発生防止と相まってさらなるカール発生防止を奏することができるものである。
【図面の簡単な説明】
【００１２】
【図１】本願発明に係る再剥離性重ね合わせシートの構成図である。
【図２】図１に係る再剥離性重ね合わせシートの作製概念図である。
【図３】図１に係る再剥離性重ね合わせシートの剥離後の状態の概念図である。
【図４】本願発明に係る再剥離性重ね合わせシートを隠蔽葉書に適用した場合の構成概念図である。
【発明を実施するための形態】
【００１３】
以下、本発明の実施形態を図により説明する。本実施形態では、発明の理解を容易とするために寸法を無視している。また、本実施形態は、再剥離性重ね合わせシートとして、配送伝票及び隠蔽葉書について示すが、これに限らず、重ね合わせシートにおける剥離対象の基材のカール防止が望まれる総てのものに適用可能である。
【００１４】
図１に、本願発明に係る再剥離性重ね合わせシートの構成図を示す。図１（Ａ）、（Ｂ）において、再剥離性重ね合わせシートの一例としての配送伝票１１は、同一平面で形成される貼付票１２及び配達票１３により構成され、分離線１４で配達票１３が再剥離自在に設けられたものである。
【００１５】
配送伝票１１は、貼付票１２及び配達票１３の共通の基材となる例えば上質紙３５Ｋｇの下基材１５の裏面（図面の下面）に粘着層１６が形成され、剥離基材１７が設けられる。当該粘着層１６は、当該配送伝票１１を対象物品に強接着で貼り付けるためのもので、接着剤、粘着剤の何れでもよい。そして、当該剥離基材１７には後に剥がし易いようにスリット１８が形成される。
【００１６】
上記下基材１５上にメジウム層１９が形成され、当該メジウム層１９上に貼着材層である接着層２０が形成される。当該接着層２０は、ここでは、水性エマルジョン接着剤で形成される。また、貼着材層としては、これに限らず、天然ラテックスにデンプンやシリカ等の微粒状充填剤を混入させたもの等、その他接着剤（固化による接着）や粘着剤（粘性を保持しながら接着）の何れでもよい。特に水性エマルジョン接着剤を用いた場合には、上記メジウム層１９によって、下基材１５への水分の浸透を防止することができるものである。
【００１７】
上記メジウム層１９は、酸化チタンなどを含有する一般的なメジウムによって形成される。メジウムは液状インキ用のものとペーストインキ用のものとがあり、何れもインキの濃度調整や光沢付与でインキに加えられるものであるが、単体で使用される場合には防水性の特性がある。その意味では、メジウムに限らず、ニスやフッ素系コーティング剤等の防水性能を有するものであれば何れでもよい。接着層２０に水性の接着剤が使用されなければ、メジウム層１９は不要である。
【００１８】
上記貼付票１２は、例えば上質紙７０Ｋｇの貼付票基材２１の表面（図面の上面）上に「貼付票」、「送り主」、「届け先」などの記入欄及び各配送伝票固有のバーコード１２Ａや伝達内容などの第１情報層２２が印刷される。当該記入欄内には、筆記又はプリンタ（感熱、インクジェット、ノンインパクトのプリンタ）で記載される。当該貼付票１２は、下基材１５の対応領域（半分）の接着層２０上に接着された形態となる。
【００１９】
上記配達票１３は、例えば上質紙７０Ｋｇの上基材３１の表面（図面の上面）上に、貼付票１２と同様に、印字面又は筆記面として、「配達票」、「送り主」、「届け先」などの記入欄及び各配送伝票固有のバーコード１３Ａなどの第２情報層３２が印刷される。当該記入欄には、筆記又はプリンタ（感熱、インクジェット、ノンインパクトのプリンタ）で記載される。当該上基材３１の裏面（図面の下面）には収縮層３３が形成される。
【００２０】
上記収縮層３３は、紫外線硬化型であり、硬化にあたって収縮されることに着目して使用されるものである。紫外線硬化型のものとして、紫外線硬化型インキ、紫外線硬化型メジウムなどがある。ここでは、紫外線硬化型メジウムを使用する場合として、例えば厚さ４４μｍで形成される。この際に意匠的観点から着色してもよい。この収縮層３３は、特に、上基材３１を後に剥離させた際に接着層２０側に剥離剤層（３４）の一部が残存した場合であっても、上基材３１に直接形成されて存在することによって、安定した収縮性を確保することができるものである。なお、前述の特許文献１，２においてもメジウムで形成された層を有する構成であるが、あくまでも剥離性を確保するためのものである。本発明は、剥離性に関しては後述の剥離剤層（３４）が担い、当該収縮層３３は収縮性によるカール防止のための層としたものである。
【００２１】
また、当該収縮層３３は、上記接着層２０に水性エマルジョン接着剤を用いた場合に、当該収縮層３３、又は、収縮層３３及び後述の剥離層（３４）によって、当該上基材３１への水分の浸透を防止することができるものである。
【００２２】
そして、上記収縮層３３の面上に剥離剤層３４が形成される。当該剥離剤層３４は、例えば剥離剤として一般的な剥離ニスを使用することができる。当該剥離ニスは紫外線硬化型であってもよい。当該配達票１３は、剥離剤層３４側が下基材１５の対応領域（貼付票領域の残り半分）の接着層２０上に接着された形態となる。
【００２３】
ここで、図２に、図１に係る再剥離性重ね合わせシートの作製概念図を示す。図２（Ａ）において、まず、下基材１５の裏面に粘着層１６が塗布されて剥離紙１７を接着され、スリット１８が形成される。そして、下基材１５の表面上に、例えば紫外線硬化型のメジウムを塗布して紫外線を照射することでメジウム層１９を形成する。このメジウム層１９上に、例えば水性エマルジョン接着剤を塗布して接着層２０を形成する。
【００２４】
続いて、図２（Ｂ）において、貼付票１２となる貼付票基材２１上に第１情報層２２が印刷によって形成される。一方、配達票１３となる上基材３１の表面上に第２情報層３２が印刷によって形成される。すなわち、配送に必要な貼付票表記及び配達票表記とさせる内容が印刷される。
【００２５】
続いて、上基材３１の裏面に紫外線硬化型のメジウムを厚さ４４μｍで塗布し、紫外線を照射して硬化させることで収縮層３３を形成する。また、当該収縮層３３の面上に例えば紫外線硬化型の剥離ニスを塗布し、紫外線を照射して硬化させることで剥離剤層３４を形成する。
【００２６】
そして、下基材１５に形成された接着層２０に、上基材３１に形成された剥離剤層３４を当接させて接着させ、また、貼付票基材２１（貼付票１２）を接着させることで、図１に示す貼付票１２及び配達票１３が同一平面とされた配送伝票１１を作製するものである。
【００２７】
そこで、図３に、図１に係る再剥離性重ね合わせシートの剥離後の状態の概念図を示す。図３（Ａ）において、下基材１５より配達票１３が剥離される。この場合、当該配達票１３は上基材３１、収縮層３３及び剥離剤層３４が一体となったものである。そして、当該配達票１３は、上記のように上基材３１、収縮層３３及び剥離剤層３４が一体となった３層構造のもので、その分の厚みでカールしにくいものであるが、上基材３１の性質（紙質や厚さ）や第２情報部３２及び記入欄への印字又は筆記によって、当該第２情報部３２側にカールしようとする。
【００２８】
この場合、配達票１３は、図３（Ｂ）に示すように、上基材３１に直接形成された収縮層３３が第２情報部３２の反対側に収縮しようとする収縮力が働く。すなわち、カールしようとした力Ｆ０と収縮層３３による収縮力Ｆ１とで均衡が図られて、当該配達票１３のカールが防止されるものである。
【００２９】
なお、貼付票１２（貼付票基材２１）の裏面に、配達票１３と同様に収縮層３３、剥離剤層３４を順次形成させることとしてもよい。これは、貼付票１２を剥離させる目的ではなく製造上のもので、貼付票基材２１と上基材３１とが連設された基材の表面上に上記第１情報層２２及び第２情報層３２を形成すると共に、裏面に収縮層３３、剥離剤層３４を順次形成させ、下基材１５の接着層２０上に接着した後に分離線１４を形成することで、製造効率を向上させることができるものである。また、下基材１５上であって、配達票１３（上基材２１）が位置される領域に、当該配達票１３が剥離した際に表出する所定の内容の情報を形成させておいてもよい。
【００３０】
次に、図４に、本願発明に係る再剥離性重ね合わせシートを隠蔽葉書に適用した場合の構成概念図を示す。図４（Ａ）において、隠蔽葉書４１は、第１基材片４２と第２基材片４３とが折り線４４で連設されたもので、第１基材片４２及び第２基材片４３の重ね合わせ面にバーコード情報を含む隠蔽情報４５が印字され、また、第２基材片４３の反対面に宛名情報４６が形成されたものである。
【００３１】
第１基材片４２の重ね合わせ面には、上記同様の接着層（例えば擬似接着剤層）２０が形成され、第２基材片４３の重ね合わせ面には収縮層３３、剥離剤層３４が順次形成されて、第１基材片４２と第２基材片４３とを折り線４４で重ね合わせ接着されることで隠蔽葉書４１となる。
【００３２】
そして、第２基材片４３を第１基材片４２より剥離させると、従前は第２基材片４３が宛名情報４６側にカールしようとする力Ｆ０が発生するが、第２基材片４３に直接形成された収縮層３３が力Ｆ０と反対側に収縮力Ｆ１が働き、均衡が図られて、当該第２基材片４３のカールが防止されるものである。
【００３３】
このように、収縮層３３を剥離対象の配送伝票１１の上基材（配達票）１３や隠蔽葉書４１の第２基材片４３に直接形成させていることから、これらが３層構造の厚みでカールしにくいことと相まって、当該収縮層３３の収縮特性で剥離後のカールを有効に防止することができるものである。
【００３４】
また、当該収縮層３３が上基材３１（第２基材片４３）に直接、すなわち剥離剤層３４との間に形成させていることから、仮に上基材３１や第２基材片４３を剥離させた際に接着層２０側に剥離剤層３４が一部残存した場合であっても、上基材３１（第２基材片４３）に直接形成された収縮層３３によって、安定した収縮性を確保することができるものである。
【産業上の利用可能性】
【００３５】
本発明の再剥離性重ね合わせシートは、再剥離可能に複数の基材を接着させた多層シートに利用可能である。
【符号の説明】
【００３６】
１１            配送伝票
１２            貼付票
１３            配達票
１２Ａ，１３Ａ  バーコード
１４            分離線
１５            下基材
１６            粘着層
１７            剥離基材
１８            スリット
１９            メジウム層
２０            接着層
２１            貼付票基材
２２            第１情報層
３１            上基材
３２            第２情報層
３３            収縮層
３４            剥離剤層
４１            隠蔽葉書
４２            第１基材片
４３            第２基材片
４４            折り線
４５            隠蔽情報
４６            宛名情報
【図１】
0005762852.tif 000002
【図２】
0005762852.tif 000003
【図３】
0005762852.tif 000004
【図４】
0005762852.tif 000005